(57)【特許請求の範囲】
【請求項１】
複数のレンズ群を有し、
前記複数のレンズ群は、
物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、
広角端から望遠端への変倍の際に、
前記第１レンズ群と前記第２レンズ群の間隔は広がり、
前記第２レンズ群と前記第３レンズ群の間隔は縮まり、
前記第３レンズ群と前記第４レンズ群の間隔は縮まり、
前記第４レンズ群と前記第５レンズ群の間隔は変化し、
前記第５レンズ群と前記第６レンズ群の間隔は変化し、
前記ズームレンズの前記第５レンズ群が前記広角端から前記望遠端までの変倍時と合焦時に可動であり、
前記第５レンズ群が前記広角端から前記望遠端への変倍の際に像側に凸形状の軌跡を描いて可動であり、
前記第１レンズ群は反射光学素子を含み、
前記第４レンズ群は、相互に離れた複数のレンズ成分を有し、
前記レンズ成分の各々は、単レンズ又は接合レンズであり、
前記複数のレンズ成分のうち最も像側のレンズ成分が負の屈折力を持つ
ことを特徴とするズームレンズ。
【請求項２】
複数のレンズ群を有し、
前記複数のレンズ群は、
物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、
広角端から望遠端への変倍の際に、
前記第１レンズ群と前記第２レンズ群の間隔は広がり、
前記第２レンズ群と前記第３レンズ群の間隔は縮まり、
前記第３レンズ群と前記第４レンズ群の間隔は縮まり、
前記第４レンズ群と前記第５レンズ群の間隔は変化し、
前記第５レンズ群と前記第６レンズ群の間隔は変化し、
前記ズームレンズの前記第５レンズ群が前記広角端から前記望遠端までの変倍時と合焦時に可動であり、
前記第１レンズ群は反射光学素子を含み、
前記第４レンズ群は、相互に離れた複数のレンズ成分を有し、
前記レンズ成分の各々は、単レンズ又は接合レンズであり、
前記複数のレンズ成分のうち最も像側のレンズ成分が負の屈折力を持ち、
以下の条件式（８）を満足する
ことを特徴とするズームレンズ。
−０．００５≦（ΔLG5/Fw）/ M2≦０．０２３        ・・・（８）
ここで、ΔLG5は前記第５レンズ群の広角端時の第５レンズ群の最も像側の面から像面までの距離と、前記第５レンズ群の望遠端時の第５レンズ群の最も像側の面から像面までの距離との差、
Fwは前記ズームレンズの広角端での光学系全系の焦点距離、
Mは前記ズームレンズの光学倍率
である。
【請求項３】
以下の条件式（１）を満足する
ことを特徴とする請求項１または請求項２に記載のズームレンズ。
−３≦FG5/FG6≦−０．９１                   ・・・（１）
ここで、FG5は前記第５レンズ群の焦点距離、
FG6は前記第６レンズ群の焦点距離、
である。
【請求項４】
以下の条件式（２）を満足する
ことを特徴とする請求項１乃至請求項３の何れか１つに記載のズームレンズ。
−６≦FG5/Fw≦−２．２                          ・・・（２）
ここで、FG5は前記第５レンズ群の焦点距離、
Fwは前記ズームレンズの広角端における焦点距離、
である。
【請求項５】
以下の条件式（３）を満足する
ことを特徴とする請求項１乃至請求項４の何れか１つに記載のズームレンズ。
−１．５≦FG5/FT≦−０．３２                    ・・・（３）
ここで、FG5は前記第５レンズ群の焦点距離、
FTは前記ズームレンズの望遠端における焦点距離、
である。
【請求項６】
以下の条件式（４）を満足する
ことを特徴とする請求項１乃至請求項５の何れか１つに記載のズームレンズ。
−１５≦(RG4L+RG4M)/(RG4L-RG4M)≦−１.5    ・・・（４）
ここで、RG4Mは前記第４レンズ群の最も像側のレンズ成分の物体側の面の曲率半径、
RG4Lは前記第４レンズ群の最も像側のレンズ成分の像側の面の曲率半径、
である。
【請求項７】
以下の条件式（５）を満足する
ことを特徴とする請求項１乃至請求項６の何れか１つに記載のズームレンズ。
０．９≦FW5G6G/FT5G6G≦２．３        ・・・（５）
ここで、FW5G6G は広角端での前記第５レンズ群と前記第６レンズ群との合成焦点距離、
FT5G6G は望遠端での前記第５レンズ群と前記第６レンズ群との合成焦点距離、
である。
【請求項８】
以下の条件式（６）を満足する
ことを特徴とする請求項１乃至請求項７の何れか１つに記載のズームレンズ。
０．９５≦MGG5T/MGG5W≦１．２５          ・・・（６）
ここで、MGG5Wは、前記ズームレンズの第５レンズ群の広角端時の横倍率、
MGG5Tは、前記ズームレンズの第５レンズ群の望遠端時の横倍率、
である。
【請求項９】
以下の条件式（７）を満足する
ことを特徴とする請求項１乃至請求項８の何れか１つに記載のズームレンズ。
−０．５≦ΔLG5/Fw≦１                        ・・・（７）
ここで、ΔLG5は前記第５レンズ群の広角端時の第５レンズ群の最も像側の面から像面までの距離と、前記第５レンズ群の望遠端時の第５レンズ群の最も像側の面から像面までの距離との差、
Fwは前記ズームレンズの広角端での光学系全系の焦点距離
である。
【請求項１０】
以下の条件式（８）を満足する
ことを特徴とする請求項１乃至請求項９の何れか１つに記載のズームレンズ。
−０．００５≦（ΔLG5/Fw）/ M2≦０．０２３  ・・・（８）
ここで、ΔLG5は前記第５レンズ群の広角端時の第５レンズ群の最も像側の面から像面までの距離と、前記第５レンズ群の望遠端時の第５レンズ群の最も像側の面から像面までの距離との差、
Fwは前記ズームレンズの広角端での光学系全系の焦点距離、
Mは前記ズームレンズの光学倍率
である。
【請求項１１】
以下の条件式（９）を満足する
ことを特徴とする請求項１乃至請求項１０の何れか１つに記載のズームレンズ。
０．１５≦LWG4G5 / LTG4G5  ≦１．７    ・・・（９）
ここで、LWG4G5は前記ズームレンズの広角端での前記第４レンズ群と前記第５レンズ群との空気間隔距離、
LTG4G5は前記ズームレンズの望遠端での前記第４レンズ群と前記第５レンズ群との空気間隔距離、
である。
【請求項１２】
以下の条件式（１０）を満足する
ことを特徴とする請求項１乃至請求項１１の何れか１つに記載のズームレンズ。
０．３≦LWG5G6 / LTG5G6  ≦１．８    ・・・（１０）
ここで、LWG5G6は前記ズームレンズの広角端での前記第５レンズ群と前記第６レンズ群との空気間隔距離、
LTG5G6は前記ズームレンズの望遠端での前記第５レンズ群と前記第６レンズ群との空気間隔距離、
である。
【請求項１３】
前記第４レンズ群の最も像側の面が像側に向けた凹面である
ことを特徴とする請求項１乃至請求項１２の何れか１つに記載のズームレンズ。
【請求項１４】
前記第５レンズ群の最も物体側の面が物体側に向けた凹面である
ことを特徴とする請求項１乃至請求項１３の何れか１つに記載のズームレンズ。
【請求項１５】
以下の条件式（１１）を満足する
ことを特徴とする請求項１乃至請求項１４の何れか１つに記載のズームレンズ。
１．１≦FG5/FG4Ln≦５                          ・・・（１１）
ここで、FG5はズームレンズの第５レンズ群の焦点距離、
FG4Lnはズームレンズの第４レンズ群の最も像側の負レンズの焦点距離、
である。
【請求項１６】
以下の条件式（１２）を満足する
ことを特徴とする請求項１乃至請求項１５の何れか１つに記載のズームレンズ。
０．１≦(RG5S+RG4L)/(RG5S−RG4L)≦０．９  ・・・（１２）
ここで、RG5Sは前記第５レンズ群の最も物体側の面の曲率半径、
RG4Lは前記第４レンズ群の最も像側の面の曲率半径、
である。
【請求項１７】
前記ズームレンズの前記第６レンズ群が変倍時に固定である
ことを特徴とする請求項１乃至請求項１６の何れか１つに記載のズームレンズ。
【請求項１８】
以下の条件式（１３）を満足する
ことを特徴とする請求項１乃至請求項１７の何れか１つに記載のズームレンズ。
１．９≦｜(RG4L+RG4S)/(RG4L−RG4S)｜  ・・・（１３）
ここで、RG4Sは前記第４レンズ群の最も物体側の面の曲率半径、
RG4Lは前記第４レンズ群の最も像側の面の曲率半径、
である。
【請求項１９】
前記第２レンズ群において、少なくとも負レンズが２つ連続で並んで配置する
ことを特徴とする請求項１乃至請求項１８の何れか１つに記載のズームレンズ。
【請求項２０】
請求項１乃至請求項１９の何れか１つに記載のズームレンズと、
前記ズームレンズの像側に配置され光学像を電気信号に変換する撮像面を持つ撮像素子と、
を有する
ことを特徴とする電子撮像装置。
【発明の詳細な説明】
【技術分野】
【０００１】
本発明は、反射光学素子を含む屈曲光学系で、小型で、良好な光学性能をもつズームレンズおよびそれを有する電子撮像装置に関するものである。
【背景技術】
【０００２】
デジタルカメラやデジタルビデオカメラ等電子撮像装置に用いられる光学系は、小型で収差が良好に補正された高い光学性能をもつことが求められている。小型化を達成する一つの手段として、反射光学素子を光学系内に含む屈曲光学系とそれを用いた電子撮像装置が知られている。
【０００３】
反射光学素子を含む屈曲光学系では、小型な光学系の構成として以下の特許文献で示されているような正・負・正・正・負・正の６群構成からなる結像光学系が知られている。
【０００４】
しかしながら、以下の特許文献の方法では光学系を更に小型化し、良好な光学性能をもつズームレンズおよびそれを用いた電子撮像装置を得ることが極めて難しい。
【先行技術文献】
【特許文献】
【０００５】
【特許文献１】特開２００９−１９２７７１号公報
【特許文献２】特開２００８−２６１９９６号公報
【特許文献３】特開２００７−２３３１６３号公報
【特許文献４】特開２００６−２０９１００号公報
【発明の概要】
【発明が解決しようとする課題】
【０００６】
特許文献１〜４では、正・負・正・正・負・正の６群構成からなる屈曲光学系で、変倍群として第２レンズ群、第４レンズ群、第５レンズ群を、合焦するレンズ群として第４レンズ群又は/及び第５レンズ群を用いて高変倍比をもつ屈曲光学系を提案している。しかしながら、上記特許文献のように変倍群を合焦するレンズ群として用いると、合焦するために、そのレンズ群前後の間隔を大きく取る必要がある。そうすると、変倍するスペースを更に確保しなければならず、全長が長くなりズームレンズが大型化する。また、強い変倍作用を有するレンズ群は、屈折力が大きいため、これらを用いて合焦を行うと、そのレンズ群の移動量に対する焦点位置の変化が大きくなる。その結果、微小にレンズ群の移動を制御する必要が生じるため、精度よく合焦を行うことが非常に難しい。以上のような要求を満たしつつ良好な光学性能をもつズームレンズを得ることは上記特許文献の構成では非常に難しい。
【０００７】
本発明は上記を鑑みてなされたものであり、正・負・正・正・負・正の６群構成の屈曲光学系であって、反射光学素子を含み、小型で、良好な合焦作用と良好な光学性能をもつズームレンズおよびそれを有する電子撮像装置を提供することを目的とする。
【課題を解決するための手段】
【０００８】
上記課題を解決するために、本発明のある態様に係るズームレンズは、
複数のレンズ群を有し、
前記複数のレンズ群は、
物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、
広角端から望遠端への変倍の際に、
前記第１レンズ群と前記第２レンズ群の間隔は広がり、
前記第２レンズ群と前記第３レンズ群の間隔は縮まり、
前記第３レンズ群と前記第４レンズ群の間隔は縮まり、
前記第４レンズ群と前記第５レンズ群の間隔は変化し、
前記第５レンズ群と前記第６レンズ群の間隔は変化し、
前記ズームレンズの前記第５レンズ群が前記広角端から前記望遠端までの変倍時と合焦時に可動であり、
前記第５レンズ群が前記広角端から前記望遠端への変倍の際に像側に凸形状の軌跡を描いて可動であり、
前記第１レンズ群は反射光学素子を含み、
前記第４レンズ群は、相互に離れた複数のレンズ成分を有し、
前記レンズ成分の各々は、単レンズ又は接合レンズであり、
前記複数のレンズ成分のうち最も像側のレンズ成分が負の屈折力を持つ
ことを特徴とする。
【０００９】
この態様に係るズームレンズによれば、第１レンズ群は反射光学素子を含むため、反射によって光路を任意の方向に折り曲げることができるので、沈胴式光学系と異なり、使用時に鏡筒が撮像装置本体から飛び出す必要がない。これにより、光軸を折り曲げて配置することで奥行き方向に、より小型な撮像装置にすることができる。
【００１０】
また、第４レンズ群の最も像側のレンズ成分が負の屈折力を持つことにより、第４レンズ群の前側主点位置をより物体側に位置させることができる。これにより、第３レンズ群と第４レンズ群の空気間隔が最も大きい広角端であっても、従来の構成よりも第４レンズ群をより像側に配置できるために、従来の構成よりも変倍スペースを有効に利用することができる。
【００１１】
また、変倍時に、第４レンズ群の最も像側のレンズ成分が変動すると、コマ収差やメリジオナル像面などの収差が変動するところ、第４レンズ群の最も像側のレンズ成分が負の屈折力を持つため、その収差変動を良好に補正している。さらにこの構成により、第４レンズ群より像側のレンズ群にて変倍する機能を抑え、合焦のためのレンズ群としての機能を持たせること、言い換えれば変倍群でないレンズ群で合焦することが可能となる。
【００１２】
その結果、変倍スペースを小さく保ちながら十分な変倍比を取ることができ、良好な合焦作用と良好な光学性能をもつコンパクトなズームレンズを得ることが可能となる。
【発明の効果】
【００１３】
以上のように、本発明のある態様に係るズームレンズによれば、反射光学素子を含む屈曲光学系で、小型で、良好な合焦作用と良好な光学性能をもつズームレンズおよびそれを有する電子撮像装置を提供することが可能となる。
【図面の簡単な説明】
【００１４】
【図１】実施例１におけるズームレンズの（ａ）は広角端、（ｂ）は中間、（ｃ）は望遠端における無限遠物点合焦時の光学構成を示す光軸に沿う断面図である。
【図２】実施例２におけるズームレンズの（ａ）は広角端、（ｂ）は中間、（ｃ）は望遠端における無限遠物点合焦時の光学構成を示す光軸に沿う断面図である。
【図３】実施例３におけるズームレンズの（ａ）は広角端、（ｂ）は中間、（ｃ）は望遠端における無限遠物点合焦時の光学構成を示す光軸に沿う断面図である。
【図４】実施例４におけるズームレンズの（ａ）は広角端、（ｂ）は中間、（ｃ）は望遠端における無限遠物点合焦時の光学構成を示す光軸に沿う断面図である。
【図５】実施例５におけるズームレンズの（ａ）は広角端、（ｂ）は中間、（ｃ）は望遠端における無限遠物点合焦時の光学構成を示す光軸に沿う断面図である。
【図６】実施例６におけるズームレンズの（ａ）は広角端、（ｂ）は中間、（ｃ）は望遠端における無限遠物点合焦時の光学構成を示す光軸に沿う断面図である。
【図７】実施例１における結像光学系の無限遠物点合焦時における球面収差、非点収差、歪曲収差、倍率色収差を示す図であり、（ａ）は広角端、（ｂ）は中間、（ｃ）は望遠端での状態を示している。
【図８】実施例２における結像光学系の無限遠物点合焦時における球面収差、非点収差、歪曲収差、倍率色収差を示す図であり、（ａ）は広角端、（ｂ）は中間、（ｃ）は望遠端での状態を示している。
【図９】実施例３における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１０】実施例４における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１１】実施例５における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１２】実施例６における結像光学系の無限遠物点合焦時における球面収差、非点収差、歪曲収差、倍率色収差を示す図であり、（ａ）は広角端、（ｂ）は中間、（ｃ）は望遠端での状態を示している。
【図１３】本実施例のズームレンズを用いた電子撮像装置としてのデジタルカメラ４０の断面図である。
【図１４】デジタルカメラの主要部の内部回路を示すブロック図である。
【発明を実施するための形態】
【００１５】
本実施例のズームレンズの構成による作用効果を説明する。なお、この実施例によって本発明は限定されるものではない。すなわち、実施例の説明に当たって、例示のために特定の詳細な内容が多く含まれるが、当業者であれば、これらの詳細な内容に色々なバリエーションや変更を加えても、本発明の範囲を超えないことは理解できよう。従って、以下で説明する本発明の例示的な実施例は、権利請求された発明に対して、一般性を失わせることなく、また、何ら限定をすることもなく、述べられたものである。
【００１６】
本実施例に係るズームレンズは、物体側から順に、正の屈折力を持つ第１レンズ群、負の屈折力を持つ第２レンズ群、正の屈折力を持つ第３レンズ群、正の屈折力を持つ第４レンズ群、負の屈折力を持つ第５レンズ群、正の屈折力を持つ第６レンズ群からなり、第１レンズ群は反射光学素子を含み、第４レンズ群の最も像側のレンズ成分が負の屈折力を持つことが望ましい。
【００１７】
本構成によれば、第１レンズ群が、反射光学素子を含むため、反射によって光路を任意の方向に折り曲げることができるので、沈胴式光学系と異なり、使用時に鏡筒が撮像装置本体から飛び出すことがない。そして、屈曲光学系による奥行き方向に薄型化された小型な撮像装置にすることができる。
【００１８】
なお、反射光学素子とは、反射によって例えば光軸など光路を任意の方向に折り曲げることができる素子のことを示しており、例としてミラーやプリズム等が挙げられる。
【００１９】
また、正・負・正・正・負・正の６群構成により、反射光学素子を含む屈曲光学系の全長を短縮するためには、各レンズ群の屈折力を強くすると同時に、空気間隔を小さくしなければならない。特に、変倍群の屈折力を強くすることで空気間隔を少なくすることが、光学系全長の短縮に効果的である。しかし、高い変倍比を維持しながら全長短縮を行うと、各群の屈折力を強めざるを得ず、また変倍に必要なスペースを少なくせざるを得ないため、小型化には限界があった。
【００２０】
例えば、上述の特許文献１〜４では、変倍群である正の第４レンズ群と正の第３レンズ群との間隔が縮まり、必要十分な変倍スペースが取れないためにこれ以上の光学系全長の短縮が困難であった。
【００２１】
ここで、上述のように、正の第４レンズ群の最も像側のレンズ成分が負の屈折力を持つことにより、第４レンズ群の前側主点位置をより物体側に位置させることができる。これにより、第３レンズ群と第４レンズ群の空気間隔が最も大きい広角端であっても、従来の構成よりも第４レンズ群をより像側に配置できるために、従来の構成よりも変倍スペースを有効に利用することができる。その結果、変倍スペースを小さく保ちながら十分な変倍比を取ることが可能となる小型なズームレンズを得ることができる。
【００２２】
また、第４レンズ群の最も物体側の面から少なくとも２面は収斂面であることがより好ましい。
【００２３】
第４レンズ群の最も物体側の面から少なくとも２面は収斂面、すなわち凸面であることで、第４レンズ群の前側主点位置をより物体側へ位置させることができ、より光学系全長を短縮した小型なズームレンズを得ることが可能となる。同時に、球面収差やコマ収差の補正がしやすくなる。
【００２４】
特許文献１では、第４レンズ群が正の両凸レンズ成分１つで構成され、第５レンズ群が像側に凹面を向けた負のレンズ１つで構成されている。つまり、第４レンズ群の前側主点位置は物体側に位置させることはできていない。一方、第４レンズ群と第５レンズ群との合成系で考えると前側主点位置を物体側に位置させることができている。しかし、変倍時あるいはフォーカシング時に両者の相対位置関係、特に、第４レンズ群の最も物体側の収斂面と第５レンズ群の最も像側の発散面、が変動するため、コマ収差やメリジオナル像面湾曲などの収差変動を良好に補正することが極めて難しくなる。
【００２５】
このため、最も物体側の物体側に向けた凸面と、最も像側の像側に向けた凹面とを同じ正の第４レンズ群に保有し、一体で移動させることが好ましい。これにより、第４レンズ群の最も像側のレンズ成分が負の屈折力をもつことで第４レンズ群の前側主点位置をより物体側にすることによる光学系の全長短縮とそれに伴う収差変動を抑えることが可能となる。そして、これとは別に、負の第５レンズ群はさらなる光学性能向上（収差変動の抑制など）と合焦時に用いるレンズ群として残しておく必要がある。
【００２６】
なお、第４レンズ群の最も像側のレンズ面は非球面であることがより好ましい。
【００２７】
第４レンズ群の最も像側のレンズ面を非球面にすることにより、特にコマ収差や像面湾曲を良好に補正することが可能となる。
【００２８】
なお、レンズ成分とはレンズの最も物体側の面から最も像側の面の間に空気間隔を含まないものをさし、単レンズ、接合レンズ、複合レンズ、屈折力可変レンズ等はそれぞれ１つのレンズ成分と数える。
【００２９】
なお、ズームレンズの第４レンズ群内に以下の条件式（１４）を満足する空気レンズが少なくとも１つあることが好ましい。
−０．４５≦(RG4m1+RG4m2)/(RG4m2−RG4m1)≦６        ・・・（１４）
ここで、RG4m1はズームレンズの第４レンズ群内の空気レンズの物体側の面の曲率半径、
RG4m2はズームレンズの第４レンズ群内の空気レンズの像側の面の曲率半径、
である
【００３０】
上述の条件式（１４）は、第４レンズ群内の空気レンズの形状を数式化したものである。条件式（１４）を満たすことで、広角端から望遠端の全領域での球面収差、像面湾曲、倍率色収差の補正を良好に行うことができる。
【００３１】
上述の条件式（１４）の上限値を上回ると、広角端から望遠端の全領域で球面収差がアンダーに、像面湾曲がアンダーに、倍率色収差が悪化し、良好な光学性能を得ることが難しくなる。
【００３２】
上述の条件式（１４）の下限値を下回ると、広角端から望遠端の全領域で球面収差がオーバーに、像面湾曲がオーバーに、倍率色収差が悪化し、良好な光学性能を得ることが難しくなる。
【００３３】
なお、条件式（１４）に代えて、以下の条件式（１４）’を満たすことが好ましい。
−０．３≦(RG4m1+RG4m2)/(RG4m2−RG4m1)≦３          ・・・（１４）’
【００３４】
さらに、条件式（１４）又は条件式（１４）’に代えて、以下の条件式（１４）’’を満たすことがより一層好ましい。
−０．２８≦(RG4m1+RG4m2)/(RG4m2−RG4m1)≦２        ・・・（１４）’’
【００３５】
また、本実施例に係るズームレンズの第５レンズ群が広角端から望遠端までの変倍時と合焦時に可動することが望ましい。
【００３６】
デジタルカメラ等の光学系では、高変倍比を持ちながら小型化、特に光学系の全長短縮する上で、どのレンズ又はレンズ群で合焦を行うかが重要である。合焦を行うためには、そのレンズ又はレンズ群を移動させるためにスペースが必要となる。上述の通り、高変倍比を持ちながら光学系の全長短縮をするには、各レンズ、特に変倍群のレンズの屈折力を強くすると同時に空気間隔を少なくしなければならない。つまり、合焦させるスペースを確保した上で空気間隔を少なくする必要がある。この傾向は高い変倍比を持たせようとするとより顕著になる。
【００３７】
特許文献１〜４では、変倍群を合焦群として利用することを提案している。変倍群で合焦を行うと、合焦を行う際のレンズの移動量に対する焦点位置変化が大きいため、少ない移動、つまり少ないスペースで合焦できる。しかしながら、高変倍比をもち全長短縮された光学系の場合、特に変倍群の屈折力が強くなるため、この合焦を行う際のレンズの移動量に対する焦点位置変化がより大きくなりすぎる。よって、微小に移動を制御し、精度よく合焦を行うことは非常に難しい。
【００３８】
特許文献４では、変倍群である正の第４レンズ群もしくは負の第５レンズ群で合焦するし、もしくは正の第４レンズ群と負の第５レンズ群の両方で合焦することでレンズの移動量に対する焦点位置変化をおさえることを提案している。しかしながら、合焦時に２つのレンズ群を動かすことは鏡筒機構の複雑化を招き、小型な撮像装置を得ることは非常に難しい。
【００３９】
上述のように、変倍群を合焦時に用いるレンズ群に用いると、高変倍比・全長短縮を達成することはきわめて難しい。
【００４０】
特許文献２〜４では、正・負・正・正・負・正の６群構成の屈曲光学系で高変倍比を持たせるために、負の第２レンズ群、正の第４レンズ群、負の第５レンズ群又は負の第２レンズ群、正の第４レンズ群、正の第６レンズ群の３つを変倍群として用いている。残りの３つのレンズ群は固定となっている。
【００４１】
この構成で高変倍化・全長短縮化を行うと変倍群もしくは固定群を合焦するレンズ群にしなければならない。変倍時に３つの可動群がある上で、固定群を合焦時のみ動かすのは機構の複雑化を招くため好ましくない。このため、変倍群の１つのレンズ群について屈折力を弱めるなどして変倍機能をほとんどなくし、そのレンズ群を合焦するレンズ群として用いることが必要となる。
【００４２】
正・負・正・正・負・正の６群構成では主に負の第２レンズ群、正の第４レンズ群で大きな変倍機能を持たせやすい。一方で、負の第５レンズ群はその２つのレンズ群に比べ、変倍機能は小さい。このため、負の第５レンズ群の変倍機能を負の第２レンズ群、正の第４レンズ群に移し、第５レンズ群のみを合焦時に用いることが好ましい。そして広角端から望遠端までの変倍の際に発生する収差変動を抑制するなど光学性能向上のために可動していることが好ましい。
【００４３】
本実施例では、第４レンズ群の最も像側のレンズ成分を負の屈折力を持つように構成することで、光学系全体で十分な変倍率を確保しつつ第５レンズ群の変倍機能（屈折力）を弱め、変倍の際に発生する焦点位置変動や収差変動の補正と合焦のためのレンズ群としての機能を持たせることを可能にしている。
【００４４】
つまり、第５レンズ群が広角端から望遠端までの変倍時と合焦時に可動することで高変倍化・全長短縮化・制御の容易なズームレンズを得ることが可能となる。
【００４５】
なお、第５レンズ群はズームレンズの結像倍率が１/５０よりも小さい倍率でも移動していることが好ましい。
【００４６】
また、本実施例のズームレンズは、以下の条件式（１）を満たすことが望ましい。
−３≦FG5/FG6≦−０．９１             ・・・（１）
ここで、FG5は第５レンズ群の焦点距離、
FG6は第６レンズ群の焦点距離、
である。
【００４７】
上述の条件式（１）は、ズームレンズの第５レンズ群と、第６レンズ群との焦点距離の比である。条件式（１）を満足することで、光学系全長の短縮された、制御のしやすい良好な合焦機能をもつズームレンズを得ることができる。
【００４８】
上述の条件式（１）の上限値を上回ると、第５レンズ群によるレンズの移動量に対する焦点位置変化が大きくなりすぎるため、制御の難易度が高くなり、良好な合焦機能を得ることが困難になる。
【００４９】
上述の条件式（１）の下限値を下回ると、第５レンズ群によるレンズの移動量に対する焦点位置変化が小さくなり、合焦に必要なスペースが必要となるため、光学系全長が短縮されたズームレンズを得ることは難しい。また、変倍の際に発生する収差変動や射出瞳位置の変動という各種変動の補正も困難になる。
【００５０】
なお、条件式（１）に代えて、以下の条件式（１）’を満たすことが好ましい。
−２．０≦FG5/FG6≦−０．９１         ・・・（１）’
【００５１】
さらに、条件式（１）又は条件式（１）’に代えて、下記条件式（１）’’を満たすことがより一層好ましい。
−１．９≦FG5/FG6≦−０．９３         ・・・（１）’’
【００５２】
また、本実施例に係るズームレンズは、以下の条件式（２）を満たすことが好ましい。
−６≦FG5/Fw≦−２．２         ・・・（２）
ここで、FG5は第５レンズ群の焦点距離、
Fwはズームレンズの広角端における焦点距離、
である。
【００５３】
上述の条件式（２）は、ズームレンズの第５レンズ群の焦点距離と、ズームレンズの広角端における焦点距離との比である。条件式（２）を満たすことで、光学系が全長短縮された、制御のしやすい良好な合焦機能をもつズームレンズを得ることができる。
【００５４】
上述の条件式（２）の上限値を上回ると、第５レンズ群の屈折力が強すぎ、レンズの移動量に対する焦点位置変化が大きくなりすぎる。このため、レンズ群の移動の制御の難易度が高いため良好な合焦機能を得ることが困難になる。
【００５５】
上述の条件式（２）の下限値を下回ると、第５レンズ群の屈折力が弱くなるため、レンズの移動量に対する焦点位置変化が小さくなる。このため、合焦するために必要なレンズ群の移動量が大きくなり、そのためのスペースが必要となる。その結果、光学系の全長が短縮されたズームレンズを得ることが困難になる。また、変倍の際に発生する収差変動や射出瞳位置の変動という各種変動の補正も困難になる。
【００５６】
なお、条件式（２）に代えて、以下の条件式（２）’を満たすことが好ましい。
−５≦FG5/Fw≦−２．２                ・・・（２）’
【００５７】
さらに、条件式（２）に代えて、以下の条件式（２）’’を満たすことがより一層好ましい。
−４．５≦FG5/Fw≦−２．２            ・・・（２）’’
【００５８】
また、本実施例に係るズームレンズは、以下の条件式（３）を満たすことが好ましい。
−１．５０≦FG5/FT≦−０．３２        ・・・（３）
ここで、FG5は第５レンズ群の焦点距離、
FTはズームレンズの望遠端における焦点距離、
である。
【００５９】
上述の条件式（３）は、ズームレンズの第５レンズ群の焦点距離と、ズームレンズの望遠端における焦点距離との比である。条件式（３）を満たすことで、光学系全長がより短縮された、制御のしやすい良好な合焦機能をもつズームレンズを得ることができる。
【００６０】
上述の条件式（３）の上限値を上回ると、第５レンズ群の屈折力が強すぎ、レンズの移動量に対する焦点位置変化がより大きくなりすぎるため、微小な移動量の制御を行わなければならず、精密に合焦を行うことが困難になる。
【００６１】
上述の条件式（３）の下限値を下回ると、第５レンズ群の屈折力が弱くなるため、特に望遠端でレンズの移動量に対する焦点位置変化が小さくなる。加えて望遠端では合焦の際に動くレンズの移動量が大きいため、合焦するために必要な移動量がより大きくなり、そのためのスペースが必要となる。このため、光学系全長がより短縮されたズームレンズを得ることが困難になる。また、変倍の際に発生する収差変動や射出瞳位置の変動という各種変動の補正も困難になる。
【００６２】
なお、条件式（３）に代えて、以下の条件式（３）’を満たすことが好ましい。
−１．３０≦FG5/FT≦−０．３２               ・・・（３）’
【００６３】
さらに、条件式（３）に代えて下記条件式（３）’’を満たすことがより一層好ましい。
−１．１５≦FG5/FT≦−０．３２        ・・・（３）’’
【００６４】
また、本実施例のズームレンズは、以下の条件式（４）を満たすことが望ましい。
−１５≦(RG4L+RG4M)/(RG4L−RG4M)≦−１．５          ・・・（４）
ここで、RG4Mは第４レンズ群の最も像側のレンズ成分の物体側の面の曲率半径、
RG4Lは第４レンズ群の最も像側のレンズ成分の像側の面の曲率半径、
である。
【００６５】
上述の条件式（４）は、前記ズームレンズの第４レンズ群の最も像側のレンズ成分の形状を数式化したものである。条件式（４）を満足することで、広角端から望遠端での全領域での球面収差、像面湾曲、軸上色収差、倍率色収差の補正を良好に行うことができる。
【００６６】
上述の条件式（４）の上限値を上回ると、球面収差がオーバーに、メリジオナル像面湾曲がオーバーに、軸上色収差、高次の倍率色収差が悪化し、良好な光学性能を得ることが困難になる。また、第４レンズ群の前側主点位置を十分に物体側へ出すことができず、光学系全長の短縮に不利である。
【００６７】
上述の条件式（４）の下限値を下回ると、球面収差がアンダーに、メリジオナル像面湾曲がアンダーに、軸上色収差、倍率色収差が悪化し、良好な光学性能を得ることが困難になる。
【００６８】
なお、条件式（４）に代えて、以下の条件式（４）’を満たすことが好ましい。
−１２≦(RG4L+RG4M)/(RG4L−RG4M)≦−１．５          ・・・（４）’
【００６９】
さらに、条件式（４）に代えて、以下の条件式（４）’’を満たすことがより一層好ましい。
−９≦(RG4L+RG4M)/(RG4L−RG4M)≦−１         ・・・（４）’’
【００７０】
また、本実施例のズームレンズは、以下の条件式（５）を満たすことが望ましい。
０．９≦FW5G6G/FT5G6G≦２．３                ・・・（５）
ここで、FW5G6G は広角端での第５レンズ群と第６レンズ群との合成焦点距離、
FT5G6G は望遠端での第５レンズ群と第６レンズ群との合成焦点距離、
である。
【００７１】
上述の条件式（５）は、ズームレンズの広角端での第５レンズ群と第６レンズ群の合成焦点距離と望遠端での第５レンズ群と第６レンズ群の合成焦点距離の比である。条件式（５）を満足することで、光学系の全長が短縮された、制御のしやすい良好な合焦機能をもつズームレンズを得ることができる。
【００７２】
上述の条件式（５）の上限値を上回ると、第５レンズ群の変倍作用、つまり屈折力が強くなるため、レンズの移動量に対する焦点位置変化がより大きくなる。このため微小な移動量の制御を行わなければならず精密に合焦を行うことが困難になる。
【００７３】
上述の条件式（５）の下限値を下回ると、特に光学系全長が短縮されたズームレンズの望遠端で第５レンズ群と第６レンズ群の空気間隔が少なくなり、第５レンズ群での合焦を行うことが困難になる。
【００７４】
なお、条件式（５）に代えて、以下の条件式（５）’を満たすことが好ましい。
０．９≦FW5G6G/FT5G6G≦２．１         ・・・（５）’
【００７５】
さらに、条件式（５）に代えて、以下の条件式（５）’’を満たすことがより一層好ましい。
０．９５≦FW5G6G/FT5G6G≦２．０５            ・・・（５）’’
【００７６】
また、本発明のズームレンズは、以下の条件式（６）を満たすことが望ましい。
０．９５≦MGG5T/MGG5W≦１．２５            ・・・（６）
ここで、MGG5Wは、ズームレンズの第５レンズ群の広角端時の横倍率、
MGG5Tは、ズームレンズの第５レンズ群の望遠端時の横倍率、
である。
【００７７】
上述の条件式（６）は、ズームレンズの第５レンズ群の広角端時の横倍率と、第５レンズ群の望遠端時の横倍率の比である。条件式（６）を満たすことで、良好な光学性能をもつ、精密な合焦をすることができる。
【００７８】
上述の条件式（６）の上限値を上回ると、第５レンズ群で大きな変倍をすること、つまり屈折力が大きくなることとなり、レンズの移動量に対する焦点位置変化がより大きくなりすぎるため、微小な移動量の制御を行わなければならず、精密に合焦を行うことが困難になる。
【００７９】
上述の条件式（６）の下限値を下回ると、第５レンズ群より物体側で発生した変倍作用を打ち消すことになるため、変倍群により強い屈折率を持たせなければいけない。下限値を下回ることで、球面収差やコマ収差、像面湾曲、軸上色収差、倍率色収差が許容できないほど悪化し、良好な光学性能を得ることが困難になる。
【００８０】
なお、条件式（６）に代えて、以下の条件式（６）’を満たすことが好ましい。
０．９７５≦MGG5T/MGG5W≦１．２５          ・・・（６）’
【００８１】
さらに、条件式（６）に代えて下記条件式（６）’’を満たすことがより一層好ましい。
０．９８５≦MGG5T/MGG5W≦１．２４          ・・・（６）’’
【００８２】
また、本発明のズームレンズは、下記条件式（７）を満たすことが望ましい。
−０．５≦ΔLG5/Fw≦１                       ・・・（７）
ここで、ΔLG5はズームレンズの望遠端時の第５レンズ群の最も像側の面から像面までの距離と、ズームレンズの広角端時の第５レンズ群の最も像側の面から像面までの距離との差、
Fwはズームレンズの広角端での光学系全系の焦点距離、
である。
【００８３】
上述の条件式（７）はズームレンズの望遠端時の第５レンズ群の最も像側の面から像面までの距離と、ズームレンズの広角端時の第５レンズ群の最も像側の面から像面までの距離との差と、ズームレンズの広角端での光学系全系の焦点距離との比である。条件式（７）を満足することで第５レンズ群による精密な合焦を行うことができる。
【００８４】
上述の条件式（７）の上限値を上回ると、第５レンズ群による変倍効果が大きく、つまり第５レンズ群の屈折力が強くなり、レンズの移動量に対する焦点位置変化が大きくなりすぎるため、微小な移動量の制御を行わなければならず精密に合焦を行うことが困難になる。
【００８５】
上述の条件式（７）の下限値を下回ると、第５レンズ群を合焦させるスペースをとることが困難になる。
【００８６】
なお、条件式（７）に代えて、以下の条件式（７）’を満たすことが好ましい。
−０．３≦ΔLG5/Fw≦１                        ・・・（７）’
【００８７】
さらに、条件式（７）に代えて、以下の条件式（７）’’を満たすことがより一層好ましい。
−０．１≦ΔLG5/Fw≦０．９９                  ・・・（７）’’
【００８８】
また、本実施例のズームレンズは、以下の条件式（８）を満たすことが望ましい。
−０．００５≦（ΔLG5/Fw）/ M2≦０．０２３          ・・・（８）
ここで、ΔLG5は第５レンズ群の広角端時の第５レンズ群の最も像側の面から像面までの距離と、第５レンズ群の望遠端時の第５レンズ群の最も像側の面から像面までの距離との差、
Fwはズームレンズの広角端での光学系全系の焦点距離、
Mはズームレンズの光学倍率、
である。
【００８９】
上述の条件式（８）は、ズームレンズの第５レンズ群の最も像側の面から像面までの距離と、第５レンズ群の望遠端時の第５レンズ群の最も像側の面から像面までの距離との差と、ズームレンズの広角端での光学系全系の焦点距離との比と光学倍率の二乗との比である。条件式（８）を満足することで第５レンズ群によるより精密な合焦を行うことができる。
【００９０】
上述の条件式（８）の上限値を上回ると、第５レンズ群による変倍効果が大きく、つまり第５レンズ群の屈折力が強くなり、レンズの移動量に対する焦点位置変化がより大きくなりすぎるため、微小な移動量の制御を行わなければならず精密に合焦を行うことが困難になる。
【００９１】
上述の条件式（８）の下限値を下回ると、第５レンズ群を合焦させるスペースをとることが困難になる。
【００９２】
なお、条件式（８）に代えて、以下の条件式（８）’を満たすことが好ましい。
−０．００３≦（ΔLG5/Fw）/ M2≦０．０２２        ・・・（８）’
【００９３】
さらに、条件式（８）に代えて、以下の条件式（８）’’を満たすことがより一層好ましい。
０≦（ΔLG5/Fw）/ M2≦０．０２２        ・・・（８）’’
【００９４】
また、本実施例のズームレンズは、以下の条件式（９）を満たすことが望ましい。
０．１５≦LWG4G5 / LTG4G5≦１．７                   ・・・（９）
ここで、LWG4G5はズームレンズの広角端での第４レンズ群と第５レンズ群との空気間隔距離、
LTG4G5はズームレンズの望遠端での第４レンズ群と第５レンズ群との空気間隔距離、
である。
【００９５】
上述の条件式（９）は、ズームレンズの広角端での第４レンズ群と第５レンズ群との空気間隔距離と、ズームレンズの望遠端での第４レンズ群と第５レンズ群との空気間隔距離との比である。条件式（９）を満足することで、第５レンズ群で精密な合焦が可能となる光学系の全長が短縮されたズームレンズを得ることができる。
【００９６】
上述の条件式（９）の上限値を上回ると、第５レンズ群による変倍効果が大きくなり、レンズの移動量に対する焦点位置変化がより大きく、つまり第５レンズ群の屈折力が強くなるため、微小な移動量の制御を行わなければならず、精密に合焦を行うことが困難になる。
【００９７】
上述の条件式（９）の下限値を下回ると、望遠端において第４レンズ群と第５レンズ群間の空気間隔が大きくなる。こうなると光学系の全長が短縮されたズームレンズ上では、第５レンズ群と第６レンズ群の間隔が狭くなり、合焦に必要なスペースを取ることが困難になる。
【００９８】
なお、条件式（９）に代えて、以下の条件式（９）’を満たすことが好ましい。
０．１５≦LWG4G5 / LTG4G5≦１．５            ・・・（９）’
【００９９】
さらに、条件式（９）に代えて、以下の条件式（９）’’を満たすことがより一層好ましい。
０．１３５≦LWG4G5 / LTG4G5≦１．４          ・・・（９）’’
【０１００】
本実施例のズームレンズは、以下の条件式（１０）を満たすことが望ましい。
０．３≦LWG5G6 / LTG5G6≦１．８             ・・・（１０）
ここで、LWG5G6はズームレンズの広角端での第５レンズ群と第６レンズ群との空気間隔距離、
LTG5G6はズームレンズの望遠端での第５レンズ群と第６レンズ群との空気間隔距離、
である。
【０１０１】
上述の条件式（１０）はズームレンズの広角端での第５レンズ群と第６レンズ群との空気間隔距離と、ズームレンズの望遠端での第５レンズ群と第６レンズ群との空気間隔距離との比である。条件式（１０）を満足することで、第５レンズ群で精密な合焦が可能となる光学系の全長が短縮されたズームレンズを得ることができる。
【０１０２】
上述の条件式（１０）の上限値を上回ると、望遠端において第５レンズ群と第６レンズ群間の空気間隔が狭くなるため、合焦に必要なスペースを取ることが困難になる。
【０１０３】
上述の条件式（１０）の下限値を下回ると、第５レンズ群による変倍効果が大きく、つまり第５レンズ群の屈折力が強くなるため、レンズの移動量に対する焦点位置変化がより大きくなりすぎるため、微小な移動量の制御を行わなければならず精密に合焦を行うことが困難になる。
【０１０４】
本実施例のズームレンズは、第４レンズ群の最も像側の面が像側に向けた凹面であることが望ましい。
【０１０５】
上述の構成にすることで、第４レンズ群の前側主点位置をより物体側へ配置することができるため、従来の構成よりも変倍スペースを有効に利用することができる。これにより、変倍スペースを小さく保ちながら十分な変倍比を取ることが可能な小型なズームレンズを得ることができる。
【０１０６】
なお、正の第４レンズ群の最も像側の面の発散面はその群の中で最も強く発散する面であることが好ましい。この構成にすることにより、第４レンズ群の前側主点位置をより物体側にすることができるため、より小型なズームレンズを得ることができる。
【０１０７】
本実施例のズームレンズは、第５レンズ群が広角端から望遠端への変倍の際に像側に凸形状の軌跡を描いて可動することが望ましい。
【０１０８】
上述の構成にすることで、第５レンズ群で精密な合焦が可能となる光学系の全長が短縮されたズームレンズを得ることができる。
【０１０９】
本実施例のズームレンズは、広角端から望遠端への変倍の際に、前記第１レンズ群と前記第２レンズ群の間隔は広がり、前記第２レンズ群と前記第３レンズ群の間隔は縮まり、前記第３レンズ群と前記第４レンズ群の間隔は縮まり、前記第４レンズ群と前記第５レンズ群の間隔は変化し、前記第５レンズ群と前記第６レンズ群の間隔は変化することが望ましい。
【０１１０】
上述の構成にすることで、効率的な変倍をすることができ、小型化を達成することができる。
【０１１１】
本実施例のズームレンズは、前記第５レンズ群の最も物体側の面が物体側に向けて凹面であることが望ましい。
【０１１２】
上述の構成にすることで、広角端から望遠端での像面湾曲、非点収差、倍率色収差を良好に抑えることができる。
【０１１３】
なお、本実施例のズームレンズにおいて、以下の条件式（１５）を満足することが好ましい。
−０．２≦(RG5S+RG5L)/(RG5L−RG5S)≦８                     ・・・（１５）
ここで、RG5Sはズームレンズの第５レンズ群の最も物体側の面の曲率半径、
RG5Lはズームレンズの第５レンズ群の最も像側の面の曲率半径、
である。
【０１１４】
上述の条件式（１５）は、第５レンズ群の形状を数式化したものである。条件式（１５）を満たすことで、広角端から望遠端の全領域での像面湾曲、非点収差、倍率色収差を良好に抑えることができる。
【０１１５】
上述の条件式（１５）の上限値を上回ると、広角端から望遠端の全領域での非点収差、高次の倍率色収差が悪化し、良好な光学性能を得ることが困難になる。
【０１１６】
上述の条件式（１５）の下限値を下回ると、広角端から望遠端の全領域での像面湾曲がアンダーに、高次の倍率色収差が悪化し、良好な光学性能を得ることが困難になる。
【０１１７】
なお、条件式（１５）に代えて、以下の条件式（１５）’を満たすことが好ましい。
−０．２≦(RG5S+RG5L)/(RG5L−RG5S)≦５          ・・・（１５）’
【０１１８】
さらに、条件式（１５）に代えて、以下の条件式（１５）’’を満たすことがより一層好ましい。
−０．１８≦(RG5S+RG5L)/(RG5L−RG5S)≦３．５    ・・・（１５）’’
【０１１９】
本実施例のズームレンズは、以下の条件式（１１）を満たすことが望ましい。
１．１≦FG5/FG4Ln≦５                 ・・・（１１）
ここで、FG5はズームレンズの第５レンズ群の焦点距離、
FG4Lnはズームレンズの第４レンズ群の最も像側の負レンズの焦点距離、
である。
【０１２０】
上述の条件式（１１）はズームレンズの第５レンズ群の焦点距離と、第４レンズ群の最も像側の負レンズの焦点距離との比である。条件式（１１）を満足することで光学性能が良好な小型なズームレンズを得ることができる。
【０１２１】
上述の条件式（１１）の上限値を上回ることで、第５レンズ群の移動による収差補正力が弱まり、広角端から望遠端の全領域での特にコマ収差や非点収差の補正を行うことが難しくなり光学性能が良好なズームレンズを得ることが極めて難しい。また、第５レンズ群の合焦時の移動量が大きくなり、全長短縮上不利になる。
【０１２２】
上述の条件式（１１）の下限値を下回ることで、第５レンズ群の移動による収差変動が大きくなり、広角端から望遠端の全領域での特にコマ収差や非点収差の補正を行うことが難しくなり光学性能が良好なズームレンズを得ることが極めて難しい。また、第５レンズ群の移動量に対する焦点位置変化がより大きくなりすぎるため、微小な移動量の制御を行わなければならず精密に合焦を行うことが困難になる。
【０１２３】
なお、条件式（１１）に代えて、以下の条件式（１１）’を満たすことが好ましい。
１．２≦FG5/FG4Ln≦４．５          ・・・（１１）’
【０１２４】
さらに、条件式（１１）に代えて、以下の条件式（１１）’’を満たすことがより一層好ましい。
１．２≦FG5/FG4Ln≦４．０          ・・・（１１）’’
【０１２５】
本実施例のズームレンズは、以下の条件式（１２）を満たすことが望ましい。
０．１≦(RG5S+RG4L)/(RG5S−RG4L)≦０．９            ・・・（１２）
ここで、RG5Sは第５レンズ群の最も物体側の面の曲率半径、
RG4Lは第４レンズ群の最も像側の面の曲率半径、
である。
【０１２６】
上述の条件式（１２）は、ズームレンズの第４レンズ群の最も像側の面と、第５レンズ群の最も物体側の面で形成される空気レンズの形状を数式化したものである。条件式（１２）を満足することで、広角端から望遠端の全領域での像面湾曲、非点収差、色収差の補正を良好に行うことができる。
【０１２７】
上述の条件式（１２）の上限値を上回ることで、広角端から中間状態までメリジオナル像面湾曲がアンダーとなり、高次の倍率色収差が発生し、望遠端では非点収差が発生するために良好に光学性能を確保することが困難になる。
【０１２８】
上述の条件式（１２）の下限値を下回ることで、広角端から望遠端の全領域で、特に像面湾曲がオーバーとなり良好な光学性能を確保することが困難になる。
【０１２９】
なお、条件式（１２）に代えて、以下の条件式（１２）’を満たすことが好ましい。
０．２≦(RG5S+RG4L)/(RG5S−RG4S) ≦０．８           ・・・（１２）’
【０１３０】
さらに、条件式（１２）に代えて、以下の条件式（１２）’’を満たすことがより一層好ましい。
０．３≦(RG5S+RG4L)/(RG5S−RG4S) ≦０．７           ・・・（１２）’’
【０１３１】
本実施例のズームレンズは、第６レンズ群が変倍時に固定であることが望ましい。
【０１３２】
上述の構成にすることで、ズーミング時に移動するレンズ群を減らし、鏡筒の構成の簡素化を行うことが出来る。このことにより、撮像装置全体をより小型にすることが可能となる。
【０１３３】
本実施例のズームレンズは、以下の条件式（１３）を満たすことが望ましい。
１．９≦｜(RG4L+RG4S)/(RG4L−RG4S)｜  ・・・（１３）
ここで、RG4Sは第４レンズ群の最も物体側の面の曲率半径、
RG4Lは第４レンズ群の最も像側の面の曲率半径、
である。
【０１３４】
上述の条件式（１３）は、ズームレンズの第４レンズ群全体の形状を数式化したものである。条件式（１３）を満足することで、第４レンズ群の収斂面と発散面のバランスを適切に定めることが可能となり、広角端から望遠端の全領域で球面収差、コマ収差、像面湾曲、色収差の補正を良好に行うことができる。
【０１３５】
上述の条件式（１３）の下限値を下回ると、収斂面と発散面のバランスをとることが極めて難しくなるため、収差補正能力が失われていき、広角端から望遠端の全領域で、特に球面収差、コマ収差、像面湾曲、色収差の発生により良好な光学性能を確保することが困難になる。
【０１３６】
本発明のズームレンズは、第２レンズ群において、少なくとも負レンズを２つ連続で並んで配置させることが望ましい。
【０１３７】
上述の構成にすることで、第２レンズ群の前側主点の位置をより物体側に位置させることができるため、変倍群である第２レンズ群が効率的に変倍することができ、小型なズームレンズにすることができる。特に、最も物体側の面から入射瞳までの距離を短くすることで、広い画角を確保しながらの小型化が可能となる。
【０１３８】
以上のように本実施例によれば、反射光学素子を含む屈曲光学系で、小型で、収差が良好に補正された小型なズームレンズおよびそれを有する電子撮像装置を提供することが可能となる。
【０１３９】
なお、各条件式の上限値のみ、もしくは下限値のみを新たな上限値、下限値としても良い。
【０１４０】
以下に、ズームレンズおよび電子撮像装置の実施例を図面に基づいて詳細に説明する。なお、本実施例によりこの発明が限定されるものではない。また、実施例５及び実施例６は、参考例であって、この発明には含まれない。
【０１４１】
実施例１における結像光学系のズームレンズについて説明する。図１は実施例１におけるズームレンズの光学構成を示す光軸に沿う断面図であり、（ａ）は広角端、（ｂ）は中間焦点距離状態、（ｃ）は望遠端での断面図である。
【０１４２】
実施例１の結像光学系のズームレンズは、図１に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、を有している。なお、以下全ての実施例において、レンズ断面図中、Ｐはプリズム、ＣＧはカバーガラス、Ｉは電子撮像素子の撮像面を示している。
【０１４３】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１４４】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１４５】
第３レンズ群Ｇ３は、物体側から順に、絞りＳと、物体側に凸面を向けた正メニスカスレンズＬ３１と、で構成されており、全体で正の屈折力を有している。
【０１４６】
第４レンズ群Ｇ４は、物体側から順に、両凸正レンズＬ４１と、両凸正レンズＬ４２と両凹負レンズＬ４３の接合レンズＳＵ４１と、で構成されており、全体で正の屈折力を有している。
【０１４７】
第５レンズ群Ｇ５は、両凹負レンズＬ５１で構成されており、負の屈折力を有している。
【０１４８】
第６レンズ群Ｇ６は、両凸正レンズＬ６１で構成されており、正の屈折力を有している。
【０１４９】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【０１５０】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、第４レンズ群Ｇ４の接合レンズＳＵ４１を構成する両凹負レンズＬ４３の像側の面ｒ２１、及び第６レンズ群Ｇ６の両凸正レンズＬ６１像側の面ｒ２５の６面である。
【０１５１】
実施例２における結像光学系のズームレンズについて説明する。図２は実施例２におけるズームレンズの光学構成を示す光軸に沿う断面図であり、（ａ）は広角端、（ｂ）は中間焦点距離状態、（ｃ）は望遠端での断面図である。
【０１５２】
実施例２の結像光学系のズームレンズは、図２に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１５３】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１５４】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１５５】
第３レンズ群Ｇ３は、物体側から順に、絞りＳと、物体側に凸面を向けた正メニスカスレンズＬ３１と、で構成されており、全体で正の屈折力を有している。
【０１５６】
第４レンズ群Ｇ４は、物体側から順に、両凸正レンズＬ４１と、物体側に凸面を向けた負メニスカスレンズＬ４２と、で構成されており、全体で正の屈折力を有している。
【０１５７】
第５レンズ群Ｇ５は、両凹負レンズＬ５１で構成されており、負の屈折力を有している。
【０１５８】
第６レンズ群Ｇ６は、両凸正レンズＬ６１で構成されており、正の屈折力を有している。
【０１５９】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【０１６０】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の物体側の面ｒ１７、及び第４レンズ群Ｇ４の負メニスカスレンズＬ４２の像側の面ｒ２０の５面である。
【０１６１】
実施例３における結像光学系のズームレンズについて説明する。図３は実施例３におけるズームレンズの光学構成を示す光軸に沿う断面図であり、（ａ）は広角端、（ｂ）は中間焦点距離状態、（ｃ）は望遠端での断面図である。
【０１６２】
実施例３の結像光学系のズームレンズは、図３に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１６３】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１６４】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１６５】
第３レンズ群Ｇ３は、物体側から順に、絞りＳと、物体側に凸面を向けた正メニスカスレンズＬ３１と、で構成されており、全体で正の屈折力を有している。
【０１６６】
第４レンズ群Ｇ４は、物体側から順に、両凸正レンズＬ４１と、物体側に凸面を向けた正メニスカスレンズＬ４２と物体側に凸面を向けた負メニスカスレンズＬ４３の接合レンズＳＵ４１と、で構成されており、全体で正の屈折力を有している。
【０１６７】
第５レンズ群Ｇ５は、像側に凸面を向けた負メニスカスレンズＬ５１で構成されており、負の屈折力を有している。
【０１６８】
第６レンズ群Ｇ６は、両凸正レンズＬ６１で構成されており、正の屈折力を有している。
【０１６９】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【０１７０】
非球面は、第１レンズ群Ｇ１の負メニスカスレンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、及び第４レンズ群Ｇ４の両凸正レンズＬ４１の両面ｒ１７，ｒ１８の５面である。
【０１７１】
実施例４における結像光学系のズームレンズについて説明する。図４は実施例４におけるズームレンズの光学構成を示す光軸に沿う断面図であり、（ａ）は広角端、（ｂ）は中間焦点距離状態、（ｃ）は望遠端での断面図である。
【０１７２】
実施例４の結像光学系のズームレンズは、図４に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１７３】
第１レンズ群Ｇ１は、物体側から順に、像側に凹面を向けた平凹負レンズＬ１１と、反射光学素子であるプリズムＰと、両凸正レンズＬ１２と、両凸正レンズＬ１３と、で構成されており、全体で正の屈折力を有している。ここで、平凹レンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１７４】
第２レンズ群Ｇ２は、物体側から順に、両凹負レンズＬ２１と、両凹負レンズＬ２２と両凸正レンズＬ２３の接合レンズＳＵ２１と、で構成されており、全体で負の屈折力を有している。
【０１７５】
第３レンズ群Ｇ３は、物体側から順に、絞りＳと、物体側に凸面を向けた正メニスカスレンズＬ３１と、で構成されており、全体で正の屈折力を有している。
【０１７６】
第４レンズ群Ｇ４は、物体側から順に、両凸正レンズＬ４１と、両凸正レンズＬ４２と両凹負レンズＬ４３の接合レンズＳＵ４１と、で構成されており、全体で正の屈折力を有している。
【０１７７】
第５レンズ群Ｇ５は、両凹負レンズＬ５１で構成されており、負の屈折力を有している。
【０１７８】
第６レンズ群Ｇ６は、両凸正レンズＬ６１で構成されており、正の屈折力を有している。
【０１７９】
第１レンズ群Ｇ１、第３レンズ群Ｇ３及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から中間状態までは第６レンズ群Ｇ６との間隔を狭めながら像側へ移動し、中間状態から望遠端までは第６レンズ群Ｇ６との間隔を広げながら物体側へ移動する。
【０１８０】
非球面は、第１レンズ群Ｇ１の平凹負レンズＬ１１の像側の面ｒ２、第２レンズ群Ｇ２の両凹負レンズＬ２１の像側の面ｒ１０、第３レンズ群Ｇ３の正メニスカスレンズＬ３１の物体側の面ｒ１５、第４レンズ群Ｇ４の両凸正レンズＬ４１の両面ｒ１７，ｒ１８、
第４レンズ群Ｇ４の接合レンズＳＵ４１を構成する両凹負レンズＬ４３の像側の面ｒ２１、及び第６レンズ群Ｇ６の両凸正レンズＬ６１の像側の面ｒ２５の７面である。
ある。
【０１８１】
実施例５における結像光学系のズームレンズについて説明する。図５は実施例５におけるズームレンズの光学構成を示す光軸に沿う断面図であり、（ａ）は広角端、（ｂ）は中間焦点距離状態、（ｃ）は望遠端での断面図である。
【０１８２】
実施例５の結像光学系のズームレンズは、図５に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１８３】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１８４】
第２レンズ群Ｇ２は、物体側から順に、両凹負レンズＬ２１と、両凹負レンズＬ２２と物体側に凸面を向けた正メニスカスレンズＬ２３の接合レンズＳＵ２１と、で構成されており、全体で負の屈折力を有している。
【０１８５】
第３レンズ群Ｇ３は、物体側から順に、絞りＳと、物体側に凸面を向けた正メニスカスレンズＬ３１と、で構成されており、全体で正の屈折力を有している。
【０１８６】
第４レンズ群Ｇ４は、物体側から順に、両凸正レンズＬ４１と、物体側に凸面を向けた平凸正レンズＬ４２と像側に凹面を向けた平凹負レンズＬ４３の接合レンズＳＵ４１と、で構成されており、全体で正の屈折力を有している。
【０１８７】
第５レンズ群Ｇ５は、両凹負レンズＬ５１で構成されており、負の屈折力を有している。
【０１８８】
第６レンズ群Ｇ６は、両凸正レンズＬ６１で構成されており、正の屈折力を有している。
【０１８９】
第１レンズ群Ｇ１及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０１９０】
非球面は、第１レンズ群Ｇ１の負メニスカスレンズＬ１１の像側の面ｒ２、第３レンズ群Ｇ３の正メニスカスレンズＬ３１の物体側の面ｒ１５、第４レンズ群Ｇ４の接合レンズＳＵ４１を構成する平凸正レンズＬ４１の物体側の面ｒ１９、及び第４レンズ群Ｇ４の接合レンズＳＵ４１を構成する平凹負レンズＬ４２の像側の面ｒ２１の４面である。
【０１９１】
実施例６における結像光学系のズームレンズについて説明する。図６は実施例６におけるズームレンズの光学構成を示す光軸に沿う断面図であり、（ａ）は広角端、（ｂ）は中間焦点距離状態、（ｃ）は望遠端での断面図である。
【０１９２】
実施例６の結像光学系のズームレンズは、図６に示すように、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とを有している。
【０１９３】
第１レンズ群Ｇ１は、物体側から順に、物体側に凸面を向けた負メニスカスレンズＬ１１と、反射光学素子であるプリズムＰと、両凸正レンズＬ１２と、両凸正レンズＬ１３と、で構成されており、全体で正の屈折力を有している。ここで、負メニスカスレンズＬ１１とプリズムＰは、前群Ｇ１ｆを構成し、負の屈折力を有する。両凸正レンズＬ１２と両凸正レンズＬ１３は、後群Ｇ１ｂを構成し、正の屈折力を有する。
【０１９４】
第２レンズ群Ｇ２は、物体側から順に、両凹負レンズＬ２１と、両凹負レンズＬ２２と物体側に凸面を向けた正メニスカスレンズＬ２３の接合レンズＳＵ２１と、で構成されており、全体で負の屈折力を有している。
【０１９５】
第３レンズ群Ｇ３は、物体側から順に、絞りＳと、物体側に凸面を向けた正メニスカスレンズＬ３１と、で構成されており、全体で正の屈折力を有している。
【０１９６】
第４レンズ群Ｇ４は、物体側から順に、両凸正レンズＬ４１と、物体側に凸面を向けた平凸正レンズＬ４２と像側に凹面を向けた平凹負レンズＬ４３の接合レンズＳＵ４１と、で構成されており、全体で正の屈折力を有している。
【０１９７】
第５レンズ群Ｇ５は、両凹負レンズＬ５１で構成されており、負の屈折力を有している。
【０１９８】
第６レンズ群Ｇ６は、両凸正レンズＬ６１で構成されており、正の屈折力を有している。
【０１９９】
第１レンズ群Ｇ１及び第６レンズ群Ｇ６は、常時固定である。広角端から望遠端へと変倍する際には、第２レンズ群Ｇ２は第３レンズ群Ｇ３との間隔を狭めながら像側へ移動する。第４レンズ群Ｇ４は、広角端から望遠端まで第３レンズ群Ｇ３との間隔を狭めながら物体側へ移動する。第５レンズ群Ｇ５は、広角端から望遠端まで第６レンズ群Ｇ６との間隔を広げながら物体側へ移動する。
【０２００】
非球面は、第１レンズ群Ｇ１の負メニスカスレンズＬ１１の像側の面ｒ２、第３レンズ群Ｇ３の正メニスカスレンズＬ３１の物体側の面ｒ１５、第４レンズ群Ｇ４の接合レンズＳＵ４１を構成する平凸正レンズＬ４１の物体側の面ｒ１９、及び第４レンズ群Ｇ４の接合レンズＳＵ４１を構成する平凹負レンズＬ４２の像側の面ｒ２１の４面である。
【０２０１】
次に、実施例１〜６の結像光学系のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線（λ＝５８７．５６ｎｍ）での屈折率、νｄ１、νｄ２、…は各レンズのｄ線（λ＝５８７．５６ｎｍ）でのアッべ数、Ｆｎｏ．はＦナンバー、ωは半画角（°）をそれぞれ表している。また、絞りは開口絞りを示している。
【０２０２】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10  ・・・（Ｉ）
【０２０３】
また、Ｅは１０のべき乗を表している。なお、これら諸元値の記号は後述の実施例の数値データにおいても共通である。
【０２０４】
数値実施例１
単位     ｍｍ
面データ
面番号              ｒ         ｄ        ｎｄ      νｄ
1               104.846      0.60     1.82115    24.06
2(非球面)        12.929      1.90
3                  ∞        8.40     1.88300    40.76
4                  ∞        0.10
5               166.189      1.48     1.49700    81.61
6               -14.594      0.10
7                13.802      1.63     1.64000    60.08
8               -32.350      D8
9               -24.439      0.50     1.80610    40.92
10(非球面)         4.900      1.20
11               -13.172      0.50     1.77250    49.60
12                 8.464      1.07     1.92286    18.90
13              -180.485      D13
14(絞り)            ∞        0.50
15(非球面)         6.794      0.94     1.69350    53.21
16                15.121      D16
17(非球面)         4.658      1.82     1.49700    81.61
18               -16.502      1.06
19                12.737      1.13     1.59270    35.31
20               -12.769      0.50     1.82115    24.06
21(非球面)         5.889      D21
22               -13.689      0.50     1.88300    40.80
23                38.683      D23
24                12.178      2.75     1.52542    55.78
25(非球面)        -7.338      0.30 
26                  ∞        1.55     1.51633    64.14 
27                  ∞        0.34
像面                ∞
非球面データ
第２面
K=0.487,A4=1.24587E-04
第１０面
K=0.000,A4=-8.51761E-04,A6=-1.93183E-05
第１５面
K=-1.001,A4=2.68004E-05
第１７面
K=-0.300,A4=-2.65386E-04,A6=-1.10160E-05,A8=-9.76481E-07
第２１面
K=0.000,A4=2.95596E-03,A6=1.42760E-04,A8=1.01377E-05, A10= -3.45914E-07
第２５面
K=0.000,A4=9.47414E-04,A6=-1.34041E-05,A8=3.29870E-07, A10= -1.03360E-09
ズームデータ
ズーム比       6.93
広角      中間      望遠
焦点距離           5.04     13.18     34.95
ＦＮＯ．           4.12      5.18      6.40
画角２ω          83.72     31.94     12.28
像高               3.84      3.84      3.84
レンズ全長        49.73     49.73     49.73
BF(in air)         1.67      1.67      1.64
D8                 0.32      4.47      7.71 
D13                7.69      3.54      0.30 
D16                6.40      2.88      0.50 
D21                3.79      8.42      8.96 
D23                3.20      2.10      3.95 
【０２０５】
数値実施例２
単位     ｍｍ
面データ
面番号              ｒ         ｄ        ｎｄ      νｄ
1               100.000      0.60     1.84666    23.78
2(非球面)        12.773      1.90
3                  ∞        8.50     1.88300    40.76
4                  ∞        0.10
5                47.513      1.59     1.49700    81.61
6               -15.875      0.10
7                14.242      1.55     1.65160    58.55
8               -43.375      D8
9               -34.073      0.30     1.80610    40.92
10(非球面)         5.225      1.27
11               -11.529      0.50     1.77250    49.60
12                 9.772      1.08     1.92286    18.90
13               -59.500      D13
14(絞り)            ∞        0.50
15(非球面)         7.877      0.83     1.74320    49.34
16                15.992      D16
17(非球面)         4.468      3.50     1.49700    81.61
18               -12.269      0.10
19                12.491      0.50     1.84666    23.78
20(非球面)         4.991      D20
21               -26.168      0.50     1.84666    23.78
22                20.050      D22 
23                11.138      2.59     1.52542    55.78
24               -12.189      0.30
25                  ∞        1.55     1.51633    64.14 
26                  ∞        0.34
像面                ∞
非球面データ
第２面
K=0.238,A4=9.12122E-05
第１０面
K=0.000,A4=-5.55094E-04,A6=-4.10307E-06
第１５面
K=0.000,A4=-1.96098E-04
第１７面
K=-0.714,A4=5.59580E-04,A6=-7.37981E-06
第２０面
K=0.000,A4=2.64723E-03,A6=1.30494E-04,A8=2.02589E-05
ズームデータ
ズーム比       6.76
広角      中間      望遠
焦点距離           5.07     12.88     34.27
ＦＮＯ．           4.60      5.62      6.05
画角２ω          82.46     32.60     12.52
像高               3.84      3.84      3.84
レンズ全長        49.73     49.74     49.73
BF(in air)         1.67      1.68      1.67
D8                 0.31      4.71      8.71 
D13                8.69      4.28      0.30 
D16                4.36      1.42      0.44 
D20                5.30      8.66      4.22 
D22                3.39      2.98      8.39 
【０２０６】
数値実施例３
単位     ｍｍ
面データ
面番号              ｒ         ｄ        ｎｄ      νｄ
1               113.965      0.50     1.82115    24.06
2(非球面)        13.561      1.90 
3                  ∞        8.50     1.88300    40.76
4                  ∞        0.10
5                28.210      1.50     1.49700    81.61
6               -21.607      0.10
7                21.753      1.33     1.69680    55.53
8               -33.615      D8
9               -29.517      0.30     1.80610    40.92
10(非球面)         5.594      1.09
11               -38.904      0.50     1.77250    49.60
12                 7.621      1.20     1.92286    18.90
13                49.043      D13
14(絞り)            ∞        0.50
15(非球面)         5.642      0.89     1.52542    55.78
16                11.500      D16
17(非球面)         6.552      3.11     1.49700    81.61
18(非球面)        -9.612      0.20 
19                 6.397      1.34     1.58144    40.75
20             17849.043      0.50     1.80518    25.42 
21                 4.181      D21
22               -10.000      0.50     1.84666    23.78 
23               -24.983      D23
24                50.000      1.44     1.83400    37.16 
25               -15.000      0.30
26                  ∞        1.55     1.51633    64.14
27                  ∞        0.34
像面                ∞
非球面データ
第２面
K=0.000,A4=9.85824E-05,A6=6.58595E-07,A8=-8.10558E-09
第１０面
K=0.000,A4=-6.34676E-04,A6=-1.11374E-05
第１５面
K=0.000,A4=-6.23300E-04,A6=-1.35901E-05
第１７面
K=-0.300,A4=-4.25303E-04,A6=2.05390E-05
第１８面
K=0.000,A4=9.11772E-04,A6=2.30953E-05
ズームデータ
ズーム比       5.88
広角      中間      望遠
焦点距離           5.07     12.87     29.81
ＦＮＯ．           3.96      4.77      6.05
画角２ω          82.44     32.62     14.44
像高               3.84      3.84      3.84
レンズ全長        49.73     49.73     49.71
BF(in air)         1.67      1.67      1.65
D8                 0.30      5.27      8.41 
D13                8.44      3.48      0.33 
D16                6.14      3.01      0.30 
D21                4.17      8.80      9.48 
D23                3.50      1.99      4.03 
【０２０７】
数値実施例４
単位     ｍｍ
面データ
面番号              ｒ         ｄ        ｎｄ      νｄ
1                  ∞        0.60     1.82115    24.06
2(非球面)        16.412      1.90 
3                  ∞        8.40     1.88300    40.76
4                  ∞        0.10
5                44.886      1.90     1.49700    81.61
6               -15.759      0.10
7                12.511      1.79     1.57967    60.00
8               -95.800      D8
9               -47.440      0.50     1.80610    40.92
10(非球面)         4.491      1.20
11               -11.015      0.50     1.77250    49.60
12                 7.975      1.10     1.92286    18.90
13              -146.256      D13
14(絞り)            ∞        0.50
15(非球面)         7.498      0.94     1.69350    53.21
16                18.054      D16
17(非球面)         5.066      1.90     1.49700    81.61
18(非球面)       -21.380      1.50
19                20.244      1.14     1.59270    35.31 
20                -8.488      0.50     1.82115    24.06
21(非球面)         9.236      D21
22               -15.848      0.50     1.80610    40.92
23               215.413      D23 
24                27.931      2.47     1.51000    60.00
25(非球面)        -6.937      0.30 
26                  ∞        1.55     1.51633    64.14
27                  ∞        0.34
像面                ∞
非球面データ
第２面
K=0.000,A4=9.13348E-05,A6=1.43222E-07,A8=-9.18067E-10
第１０面
K=0.000,A4=-6.66705E-04,A6=-3.13125E-05,A8=-2.13641E-07,A10=2.52527E-07
第１５面
K=-1.004,A4=2.68471E-05
第１７面
K=0.000,A4=-3.16813E-04,A6=-2.84537E-06,A8=2.10723E-07
第１８面
K=0.000,A4=1.47368E-04,A6=1.65817E-05
第２１面
K=0.000,A4=2.08213E-03,A6=6.78512E-05,A8=1.85266E-06,A10=1.00078E-06
第２５面
K=0.000,A4=1.38985E-03,A6=-2.00951E-05,A8=2.97973E-07
ズームデータ
ズーム比       9.80
広角      中間      望遠
焦点距離           5.00     15.65     49.00
ＦＮＯ．           4.31      5.57      7.21
画角２ω          84.24     27.06      8.78
像高               3.84      3.84      3.84
レンズ全長        55.73     55.73     55.73
BF(in air)         1.69      1.66      1.61
D8                 0.34      5.54      9.16 
D13                9.12      3.92      0.30 
D16                8.32      3.85      0.47 
D21                1.77      8.76      9.67 
D23                6.94      4.45      6.95 
【０２０８】
数値実施例５
単位     ｍｍ
面データ
面番号              ｒ         ｄ        ｎｄ      νｄ
1               277.498      0.50     1.63493    23.90
2(非球面)        12.000      1.90 
3                  ∞        7.80     1.81600    46.62
4                  ∞        0.10
5                42.687      1.29     1.49700    81.61 
6               -17.015      0.10
7                 9.176      1.46     1.52542    55.78 
8               -95.983      D8
9              -108.490      0.30     1.88300    40.76 
10                 6.429      0.85
11               -16.840      0.50     1.74100    52.64 
12                 5.537      0.97     1.92286    18.90 
13                15.655      D13 
14(絞り)            ∞        D14
15(非球面)         6.576      0.98     1.52542    55.78
16                33.398      D16 
17                 6.252      1.81     1.49700    81.61 
18               -16.372      0.30
19(非球面)         6.002      1.33     1.52542    55.78
20                  ∞        0.50     1.63493    23.90
21(非球面)         4.524      D21
22               -10.000      0.50     1.52542    55.78
23               335.543      D23 
24                30.000      1.45     1.52542    55.78
25               -15.000      0.30
26                  ∞        1.55     1.51633    64.14 
27                  ∞        0.34
像面                ∞
非球面データ
第２面
K=0.000,A4=9.48568E-05
第１５面
K=0.000,A4=-6.59915E-04,A6=-5.14679E-06
第１９面
K=0.000,A4=-2.85433E-04,A6=-4.31777E-05,A8=-6.66869E-06
第２１面
K=0.000,A4=1.81842E-03,A6=5.94070E-05,A8=-1.31834E-05
ズームデータ
ズーム比       3.90
広角      中間      望遠
焦点距離           5.47     13.88     21.31
ＦＮＯ．           3.50      4.81      5.96
画角２ω          78.00     30.76     20.04
像高               3.84      3.84      3.84
レンズ全長        41.73     41.72     41.73
BF(in air)         1.67      1.66      1.67
D8                 0.29      3.77      5.07 
D13                3.76      1.11      0.60 
D14                2.00      1.16      0.40 
D16                4.94      1.70      0.30 
D21                4.92      7.66      8.05 
D23                1.50      2.00      3.00 
【０２０９】
数値実施例６
単位     ｍｍ
面データ
面番号              ｒ         ｄ        ｎｄ      νｄ
1               220.658      0.50     1.63493    23.90
2(非球面)        12.198      1.90 
3                  ∞        7.80     1.81600    46.62
4                  ∞        0.10
5                37.263      1.24     1.49700    81.61 
6               -17.820      0.10
7                 9.132      1.36     1.52542    55.78 
8              -151.105      D8
9              -133.261      0.30     1.88300    40.76 
10                 6.357      0.85
11               -14.627      0.50     1.77250    49.60 
12                 5.667      0.97     1.92286    18.90 
13                19.219      D13 
14(絞り)            ∞        D14
15(非球面)         7.141      0.99     1.52542    55.78
16                84.808      D16 
17                 6.271      1.86     1.49700    81.61 
18               -16.417      0.30
19(非球面)         6.041      1.37     1.52542    55.78
20                  ∞        0.50     1.63493    23.90
21(非球面)         4.510      D21
22               -10.000      0.50     1.52542    55.78
23               483.582      D23 
24                30.000      1.44     1.52542    55.78
25               -15.000      0.36
26                  ∞        1.55     1.51633    64.14 
27                  ∞        0.34
像面                ∞
非球面データ
第２面
K=0.000,A4=8.26967E-05
第１５面
K=0.000,A4=-5.95864E-04,A6=-1.61120E-06
第１９面
K=0.000,A4=-2.87785E-04,A6=-4.24082E-05,A8=-6.46386E-06
第２１面
K=0.000,A4=1.75984E-03,A6=5.35614E-05,A8=-1.35560E-05
ズームデータ
ズーム比       3.90
広角      中間      望遠
焦点距離           5.43     13.80     21.15
ＦＮＯ．           3.51      5.25      6.03
画角２ω          78.58     31.02     20.18
像高               3.84      3.84      3.84
レンズ全長        41.73     41.71     41.71
BF(in air)         1.73      1.71      1.72
D8                 0.30      3.32      5.18 
D13                3.53      1.21      0.60 
D14                2.00      0.89      0.40 
D16                5.33      1.63      0.30 
D21                4.74      8.36      7.92 
D23                1.50      2.00      3.00 
【０２１０】
図７〜図１２は、実施例１〜実施例６における結像光学系のズームレンズの無限遠物点合焦時における球面収差（ＳＡ）、像面湾曲（ＦＣ）、歪曲収差（ＤＴ）、倍率色収差（ＣＣ）を示す図であり、（ａ）は広角端、（ｂ）は中間焦点距離状態、（ｃ）は望遠端での状態を示している。
【０２１１】
球面収差と倍率色収差は、４３５．８４ｎｍ（ｇ線：一点鎖線），５８７．５６ｎｍ（ｄ線：実線），６５６．２７ｎｍ（Ｃ線：破線）の各波長における数値を示してある。また、非点隔差は、実線がサジタル像面、点線がメリジオナル像面を示している。なお、ＦＮＯはＦナンバー、ωは半画角を示す。
【０２１２】
次に、上記各実施例における条件式（１）〜（５）の値を示す。
【０２１３】
条件式             実施例１            実施例２            実施例３
(1)                -1.245              -1.158              -1.431
(2)                -2.261              -2.631              -3.944
(3)                -0.326              -0.389              -0.671
(4)                -2.720              -2.331              -4.774
(5)                 1.111               1.808               1.050
(6)                 1.036 1.237 1.019
(7)                -0.150 (-0.985) -0.105
(8)                -0.003 (-0.022) -0.003
(9)                 0.423               1.255               0.440
(10)                 0.809               0.405               0.868
(11)                 2.351               1.317               3.851
(12)                 0.398               0.680               0.410
(13)                 8.562              18.094               4.527
(14)                -0.129 0.009 -0.201
(15)                 0.477              -0.132               2.335
【０２１４】
条件式             実施例４            実施例５            実施例６
(1)                -1.639              -0.960              -0.969
(2)                -3.659              -3.380              -3.433
(3)                -0.373              -0.867              -0.881
(4)                -2.678              -7.124              -6.892
(5)                 1.001               1.891               1.809
(6)                 0.997 1.065 1.063
(7)                -0.002 -0.274 -0.276
(8)                 0.000 (-0.018) (-0.018)
(9)                 0.183               0.612               0.599
(10)                 0.998               0.500               0.500
(11)                 3.440               2.592               2.624
(12)                 0.264               0.377               0.378
(13)                 3.430               6.237               6.124
(14)                -0.027 (-0.463) (-0.462)
(15)                 0.863               0.942               0.959
【０２１５】
図１３は、本実施形態のズームレンズを撮像装置としてのデジタルカメラの撮影光学系４１に組み込んだ構成を示す断面図である。
【０２１６】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例１のズームレンズを通して撮影が行われる。
【０２１７】
撮影光学系４１によって形成された物体像が、カバーガラスＣＧを介してＣＣＤやＣＭＯＳ等の撮像素子４９の撮像面上に形成される。このＣＣＤやＣＭＯＳ等の撮像素子４９で受光された物体像は、処理手段（例えばＣＰＵ）５１を介し、電子画像としてカメラ背面に設けられた液晶表示モニター（ＬＣＤ）４７に表示される。また、この処理手段５１には記録手段（例えば、メモリ）５２が接続され、撮影された電子画像を記録することもできる。なお、この記録手段５２は処理手段５１と別体に設けてもよいし、フロッピー（登録商標）ディスクやメモリーカード、ＭＯ、ＤＶＤ±ＲＷ等により電子的に記録書き込みを行うように構成してもよい。また、ＣＣＤ等４９に代わって銀塩フィルムを配置した銀塩カメラとして構成してもよい。
【０２１８】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【０２１９】
図１４は、デジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【０２２０】
図１４に示すように、デジタルカメラ４０は、操作部１２と、この操作部１２に接続された制御部１３と、制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２２１】
一次記憶メモリ１７、画像処理部１８、記憶媒体部１９、表示部２０、及び設定情報記憶メモリ部２１はバス２２を介して相互にデータの入力又は出力が可能とされている。また、撮像駆動回路１６には、ＣＣＤ４９とＣＤＳ／ＡＤＣ部２４が接続されている。
【０２２２】
操作部１２は各種の入力ボタンやスイッチを備え、これらの入力ボタンやスイッチを介して外部（カメラ使用者）から入力されるイベント情報を制御部１３に通知する回路である。制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０２２３】
ＣＣＤ４９は、撮影光学系４１を介して形成された物体像を受光する。ＣＣＤ４９は、撮影駆動回路１６により駆動制御され、その物体像の各画素ごとの光量を電気信号に変換してＣＤＳ／ＡＤＣ部２４に出力する撮像素子である。
【０２２４】
ＣＤＳ／ＡＤＣ部２４は、ＣＣＤ４９から入力する電気信号を増幅し、かつアナログ／デジタル変換を行って、この増幅とデジタル変換を行っただけの映像生データ（ベイヤーデータ、以下ＲＡＷデータという。）を一時メモリ１７に出力する回路である。
【０２２５】
一次記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一次記憶メモリ１７に記憶されたＲＡＷデータ又は記憶媒体部１９に記憶されているＲＡＷデータを読み出して、制御部１３から指定された画質パラメータに基づいて歪曲収差の補正を含む各種画像処理を電気的に行う回路である。
【０２２６】
記憶媒体部１９は、例えばフラッシュメモリ等からなるカード型又はスティック型の記録媒体を着脱自在に装着して、それらカード型又はスティック型の記憶媒体に、一次記憶メモリ１７から転送されるＲＡＷデータや画像処理部１８で画像処理された画像データを記録して保持する装置の制御回路である。
【０２２７】
表示部２０は、液晶表示モニタ４７に画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０２２８】
このように構成されたデジタルカメラ４０は、撮像光学系４１として本実施例のズームレンズを採用することで、小型で動画撮像に適した撮像装置とすることが可能となる。
【０２２９】
以上、種々の実施形態について説明したが、本実施例はこれらの実施形態のみに限られるものではなく、それぞれの実施形態の構成を適宜組み合わせて構成した実施形態も本発明の範疇となるものである。
【符号の説明】
【０２３０】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｐ…プリズム
Ｓ…開口絞り
ＣＧ…カバーガラス
Ｅ…観察者眼球
１２…操作部
１３…制御部
１４、１５…バス
１６…撮像駆動回路
１７…一次記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ（電子撮像装置）
４１…撮影光学系
４２…撮影用光路
４７…液晶表示モニタ
４９…ＣＣＤ
【図１】
0005710925.tif 000002
【図２】
0005710925.tif 000003
【図３】
0005710925.tif 000004
【図４】
0005710925.tif 000005
【図５】
0005710925.tif 000006
【図６】
0005710925.tif 000007
【図７】
0005710925.tif 000008
【図８】
0005710925.tif 000009
【図９】
0005710925.tif 000010
【図１０】
0005710925.tif 000011
【図１１】
0005710925.tif 000012
【図１２】
0005710925.tif 000013
【図１３】
0005710925.tif 000014
【図１４】
0005710925.tif 000015